(57)【特許請求の範囲】
【請求項１】
剃毛かみそりカートリッジ（１０）であって、
ガード（１４）及びキャップ（１８）を有するハウジング（１２）と、
前記ハウジング上の、一対の横方向に離間して配置された刃スタビライザ（８８及び９０）と、
前記ガードと前記キャップとの間に配置された一次刃部材（２２）と、
前記ハウジングの上面に装着された刃保持部材（４２及び４４）とを含み、前記一次刃部材は切断縁部（３２）を有し、前記切断縁部は、前記刃保持部材と前記一対の横方向に離間して配置された刃スタビライザとの間で拘束されている、剃毛かみそりカートリッジ。
【請求項２】
前記一対の横方向に離間して配置された刃スタビライザ（８８及び９０）は、前記刃保持部材（４２及び４４）に直接接触している、請求項１に記載の剃毛かみそりカートリッジ（１０）。
【請求項３】
前記一次刃部材（２２）と前記キャップ（１８）との間に配置された複数の刃部材（２４、２６、２８、及び３０）を更に含む、請求項１又は２に記載の剃毛かみそりカートリッジ（１０）。
【請求項４】
前記複数の刃部材（２４、２６、２８、及び３０）の各々は、前記刃スタビライザ（８８及び９０）によって支持されていない対応する切断縁部（３４、３６、３８、及び４０）を有している、請求項３に記載の剃毛かみそりカートリッジ（１０）。
【請求項５】
前記一対の横方向に離間して配置された刃スタビライザ（８８及び９０）は、エラストマー材を含む、請求項１〜４のいずれか一項に記載の剃毛かみそりカートリッジ（１０）。
【請求項６】
前記一対の横方向に離間して配置された刃スタビライザ（８８及び９０）は、前記ハウジング（１２）の前方内壁（６２）と前記一次刃部材（２２）の垂直基部（１１４）との間に配置されている、請求項１〜５のいずれか一項に記載の剃毛かみそりカートリッジ（１０）。
【請求項７】
前記一対の横方向に離間して配置された刃スタビライザ（８８及び９０）は、前記ハウジング（１２）の前記前方内壁（６２）から延在しており、前記一次刃部材（２２）の前記垂直基部（１１４）から離間して配置されている、請求項６に記載の剃毛かみそりカートリッジ（１０）。
【請求項８】
前記一次刃部材（２２）の前記切断縁部（３２）は、前記一対の横方向に離間して配置された刃スタビライザ（８８及び９０）に直接接触している、請求項１〜７のいずれか一項に記載の剃毛かみそりカートリッジ（１０）。
【請求項９】
前記一次刃部材（２２）の前記切断縁部（３２）の一部が、前記一対の横方向に離間して配置された刃スタビライザ（８８及び９０）に押し込まれている、請求項１〜８のいずれか一項に記載の剃毛かみそりカートリッジ（１０）。
【請求項１０】
前記刃スタビライザ（８８及び９０）は、ショアＡ硬度が３０〜６０の材料を含む、請求項１〜９のいずれか一項に記載の剃毛かみそりカートリッジ（１０）。
【請求項１１】
前記一対の横方向に離間して配置された刃スタビライザ（８８及び９０）の各々は、少なくとも１つの凸部（２０２及び２０４）を含み、前記凸部は、前記凸部の基部（２１０及び２１２）から上面（２１４及び２１６）への高さ（ｄ１）が０．２５ｍｍ〜０．５０ｍｍである、請求項１〜１０のいずれか一項に記載の剃毛かみそりカートリッジ（１０）。
【請求項１２】
前記刃保持部材（４２及び４４）は一対のクリップを含む、請求項１〜１１のいずれか一項に記載の剃毛かみそりカートリッジ（１０）。
【請求項１３】
前記一次刃部材（２２）は、垂直基部（１１４）、および、前記切断縁部（３２）と前記垂直基部との間の湾曲部（１１６）を含む一体型部材である、請求項１〜１２のいずれか一項に記載の剃毛かみそりカートリッジ（１０）。
【請求項１４】
前記刃スタビライザ（８８及び９０）のうちの少なくとも１つが、前記一次刃部材（２２）の前記垂直基部（１１４）から０．１５ｍｍを超えて離間して配置されている、請求項１３に記載の剃毛かみそりカートリッジ（１０）。
【請求項１５】
前記刃スタビライザ（８８及び９０）の各々は、前記ハウジング（１２）の後方（２０）に向かう方向に下向き傾斜した対応する上面（１０２及び１０４）を有している、請求項１〜１４のいずれか一項に記載の剃毛かみそりカートリッジ（１０）。
【発明の詳細な説明】
【技術分野】
【０００１】
本発明は、湿式剃毛安全かみそりに関し、更に詳細には、１枚以上の刃を保持及び／又は固定するためのハウジングを有する剃毛カートリッジに関する。
【背景技術】
【０００２】
概して、安全かみそりのカートリッジ又は刃ユニットは、カートリッジが取り付けられたハンドルによって、剃毛される皮膚の表面内を移動する切断縁部を有する少なくとも１つの刃を有する。一部の剃毛かみそりには、ハンドルに対して旋回し、剃毛中に皮膚の輪郭に沿って移動する、ばね付勢されたカートリッジが備わっている。かかるカートリッジは、刃の切れ味が不充分な程度にまで低下した時点で、そのカートリッジを新しいカートリッジに交換することができるように、ハンドルに着脱可能に装着されてもよく、あるいは、刃が鈍くなった時点でかみそり全体を廃棄することを想定して、ハンドルに永久的に取り付けられてもよい。
【０００３】
かみそり刃組立体の一般的にガードと呼ばれる皮膚係合面とキャップとの間で刃部材の切断縁部が保持される、かみそり刃組立体が開示されている。剃毛ストローク中、ガードは刃部材（複数可）の前方で皮膚に接触し、キャップは刃部材（複数可）の後方で皮膚に接触する。キャップ及びガードは、剃毛中の皮膚に対する刃の向き及び位置を決定するパラメータであるいわゆる「剃毛ジオメトリ」を確立しやすくし、このパラメータは、かみそりの剃毛性能及び有効性に強く影響することがある。キャップは、抵抗を低減し、快適さを高める、水滲出性の剃毛補助剤を含んでよい。ガードは一般に剛性であってもよく、例えば、刃の支持を提供するフレーム又はプラットフォーム構造とともに一体化形成される。ガードはまた、より軟質のエラストマー材を含んで、皮膚の伸張を向上させてよい。
【０００４】
米国特許第４，５８６，２５５号及び同第４，３７８，６３４号には、本体部材に一体化され、かつ、剃毛作業中に刃に対して付勢力を与えるばねフィンガー付勢部材に支持されることによって、剃毛作業中に受ける力に応答して、独立的に移動可能な刃部材が開示されている。更に、刃を片持ち梁などのばね部材に装着することも、刃をクリップなどの合わせ面（registration surface）に対して付勢することによって刃ジオメトリを設定するために用いられることがある。
【０００５】
刃支持ばねフィンガー付勢部材が本体部材と一体的に形成される構造においては、本体部材の材料として、ばね部材を提供するために適切な品質を示すものを、更には、刃組立体の刃、キャップ、及びガード部にとって好適なハウジングを提供するために必要な耐性品質を示すものを選択する必要がある。これらの特定の品質を有するプラスチック材が分かっているが、ハウジングに用いられるプラスチックとは無関係に、ばねとして用いられた場合、かかる材料は、ばね鋼などの金属製のものより高い度合いでクリープしやすくなる。しかし、金属又は鋼製の機構を用いると、剃毛カートリッジのコスト及び複雑さを増大させることになる。
【０００６】
刃及び刃支持部材は、向上したすすぎ効率及び切断効率を提供するために薄化されている。しかし、薄化された刃及び刃支持部材は、剃毛ストローク中の移動が多くなる傾向があり、剃毛性能に悪影響を及ぼすことがある。その結果、プロセス中に、刃及び／又は刃支持部材を十分に拘束すること、並びに、刃及び／又は刃支持部材へのダメージを防ぐことが、より難しくなる。更に、ハウジング内の特定の刃及び／又は刃支持部材の場所によって、剃毛力が異なることがある。
【先行技術文献】
【特許文献】
【０００７】
【特許文献１】米国特許第４，５８６，２５５号
【特許文献２】米国特許第４，３７８，６３４号
【発明の概要】
【発明が解決しようとする課題】
【０００８】
このため、刃を十分に拘束するためのシンプルかつ信頼性の高いデザインを有する剃毛かみそりカートリッジが、特にほとんどの力が剃毛ストローク中に付与される場合に、必要とされている。刃及び／又は刃支持部材にダメージを与えることなく、剃毛作業中に加わる力に対して刃及び／又は刃支持部材を拘束するための方法及びデザインもまた、必要とされている。
【課題を解決するための手段】
【０００９】
１つの態様では、本発明は、概して、ガード及びキャップを有するハウジングを有する剃毛かみそりカートリッジを特徴とする。一対の横方向に離間して配置された刃スタビライザが、ハウジング上に設けられている。ガードとキャップとの間に一次刃部材が配置されている。刃保持部材が、ハウジングの上面に装着されている。一次刃部材は、切断縁部を有し、この切断縁部は、刃保持部材と一対の横方向に離間して配置された刃スタビライザとの間で拘束されている。
【００１０】
別の態様では、本発明は、概して、剃毛かみそりカートリッジを組み立てるための方法を特徴とする。少なくとも１つの刃が、一対の横方向に離間して配置された刃スタビライザを有するハウジングに装着されている。刃保持部材が、ハウジングの上面に装着されている。刃の切断縁部は、刃保持部材と一対の横方向に離間して配置された刃スタビライザとの間で拘束されている。
【図面の簡単な説明】
【００１１】
本発明の他の特徴及び利点、並びに本発明自体は、添付の図面と併せて読むときに、種々の実施形態の以下の説明から、より完全に理解することができる。
【図１】本発明の１つの可能な実施形態による剃毛かみそりカートリッジの斜視図である。
【図２】図１の剃毛かみそりカートリッジの組立図である。
【図３】図２の剃毛かみそりカートリッジに組み込まれ得るハウジングの斜視図である。
【図４】図１の線４−４に実質的に沿って切断した、剃毛かみそりカートリッジの断面図である。
【図５】剃毛かみそりカートリッジ用ハウジングの別の可能な実施形態の斜視図である。
【発明を実施するための形態】
【００１２】
図１を参照すると、剃毛かみそりカートリッジ１０の斜視図が示されている。剃毛かみそりカートリッジ１０は、ハンドル（図示せず）に装着することができる。剃毛かみそりカートリッジ１０は、ハンドルに取り外し可能に又は永久的に装着することができる。例えば、剃毛かみそりカートリッジ１０は、刃の切れ味が不充分な程度にまで低下した時点で、その剃毛かみそりカートリッジ１０を新しい剃毛かみそりカートリッジ１０に交換できるように、ハンドルに着脱可能に装着されてもよく、あるいは、刃が鈍くなった時点でかみそり全体を廃棄することを想定して、ハンドルに永久的に取り付けられてもよい。剃毛かみそりカートリッジ１０は、ハウジング１２を含んでいてもよい。ハウジング１２の前部１６にガード１４が配置されてもよく、ハウジング１２の後部２０にキャップ１８が配置されてもよい。特定の実施形態では、キャップ１８は、剃毛中に放出される１種類以上の潤滑剤を含んでいてもよい。
【００１３】
ガード１４は、典型的には、剛性プラスチック（例えば、ハウジング１２と同じ材料）で形成できる一体型の細長い部材である。ガード１４は、キャップ１８に略平行に延在して剃毛ストローク中に皮膚を支持しやすくする、中実の又は区画化されたバーであってもよい。特定の実施形態では、ハウジング１２は、剃毛ストローク中に皮膚を伸張させるための皮膚係合部材１５（例えば、複数のフィン又は他の凸部）をガード１４の前方に備えてもよい。特定の実施形態では、皮膚係合部材１５は、ハウジング１２に対してインサート射出成形又は共射出成形されてもよい。しかしながら、接着剤、超音波溶接、又は機械的締結具などの他の既知の組立て方法もまた使用されてよい。皮膚係合部材１５は、ハウジング１２よりも軟性（すなわちデュロメータ硬度が低い）のエラストマーなどの材料から成形されてもよい。
【００１４】
刃部材２２、２４、２６、２８及び３０のうちの１つ以上が、キャップ１８とガード１４との間（すなわち、キャップ１８の前方かつガード１４の後方）でハウジング１２に装着されてもよい。刃部材２２、２４、２６、２８、及び３０はそれぞれ、実質的にガード１４の方を向いている切断縁部３２、３４、３６、３８、及び４０を有していてもよい。ガード１４に最も近接している刃部材２２は一次刃部材２２と呼ばれることがあり、この次にガード１４に最も近接しているものは二次刃部材２４と呼ばれることがあり、ガード１４から最も遠くにある（例えば、キャップ１８の最も近くにある）第５の刃部材３０まで同様である。５つの刃部材２２、２４、２６、２８及び３０が図示されているが、剃毛かみそりカートリッジ１０は、剃毛かみそりカートリッジ１０の所望の性能及びコストに応じて、これよりも多い又は少ない数の刃を有していてもよい。ガード１４及びキャップ１８は、ガード１４及びキャップ１８に接する剃毛面Ｐ１を画定し得る。後で詳述するように、刃部材２２、２４、２６、２８、及び３０は、１つ以上の刃保持部材４２及び４４によってハウジング１２に固定され得る。特定の実施形態では、刃保持部材４２及び４４は、金属又はプラスチック製のクリップであり得る。刃保持部材４２及び４４は、互いに離間して（例えば、ハウジング１２の両側に）配置され得る。特定の実施形態では、刃保持部材４２及び４４は互いに離間して配置され得るが、刃保持部材４２及び４４を含む材料（例えば、金属）のストリップによって互いに連結されている。刃保持部材４２及び４４は、刃の露出（すなわち、剃毛面Ｐ１に相対的な切断縁部３２、３４、３６、３８、及び４０の位置）を確立しやすくし得る。後で詳述するように、切断縁部３２、３４、３６、３８、及び４０は、刃保持部材４２及び４４に対して付勢されていてもよい。
【００１５】
図２を参照すると、剃毛かみそりカートリッジ１０の組立図が示されている。ハウジング１２は、ポリマー材料の射出成形によるものであってもよいし、あるいは、金属などの他の材料を含んでいてもよい。ハウジング１２は、耐衝撃性ポリスチレン（ＨＩＰＳ）などのポリマーで成形してもよいし、ポリプロピレン（ＰＰ）、ナイロン、アクリロニトリルブタジエンスチレン（ＡＢＳ）、ポリフェニレンエーテル、ポリスチレン、及びこれらの組み合わせなどの他の半硬質ポリマーを使用してもよい。ハウジング１２は、ガード１４に隣接する一対の開口部４６及び４８を画定する上面２５を有していてもよい。ガード１４は、一対の開口部４６及び４８の間に配置されていてもよい。ハウジング１２はまた、キャップ１８に隣接する第２の対の開口部５０及び５２を画定してもよい。例えば、キャップ１８は、一対の開口部５０及び５２の間に配置されていてもよい。ハウジング１２は、刃部材２２、２４、２６、２８、及び３０を配置するための内部空間６０を画定してもよい。内部空間６０は、前方内壁６２、後方内壁６４、並びに一対の側方内壁６６及び６８によって画定され得る。複数の中間壁７０、７２、７４、及び７６が内部空間６０内に配置され、前方内壁６０と後方内壁６２とを互いに連結していてもよい。中間壁７０、７２、７４、及び７６の各々は、刃部材２２、２４、２６、２８、及び３０のうちの１つを受けるような寸法をそれぞれ有する１つ以上のスロット７８を画定してもよい。
【００１６】
ハウジング１２は、内部空間６０内に位置する、一対の離間して配置された刃合わせ部材（blade registration member）８０及び８２を有していてもよい。刃合わせ部材８０及び８２は、互いに離間して（例えば、ハウジング１２の両側に）配置されてよく、それによって、刃部材２２、２４、２６、２８、及び３０の間を十分にすすぐことができる。例えば、特定の実施形態では、刃合わせ部材８０及び８２は互いに離間して配置され得るが、刃合わせ部材８０及び８２を含むエラストマー材のストリップによって互いに連結されている。刃合わせ部材８０及び８２は、ハウジング１２に装着され得る。一対の離間して配置された刃スタビライザ８８及び９０が、それぞれの刃合わせ部材８０及び８２からハウジング１２の上面２５に向かって延在し得る。刃スタビライザ８８及び９０は、互いに離間して（例えば、ハウジング１２の両側に）配置されてよく、それによって、切断縁部１２に対して十分な切断長さを提供し得る。例えば、特定の実施形態では、刃スタビライザ８８及び９０は互いに離間して配置され得るが、刃スタビライザ８８及び９０を含むエラストマー材のストリップによって互いに連結されている。刃スタビライザ８８のうちの１つは開口部４６の後方に配置されていてもよく、もう１つの刃スタビライザ９０は開口部４８の後方に配置されていてもよい。特定の実施形態では、一対の横方向に離間して配置された刃スタビライザ８８及び９０は、それぞれの開口部４６及び４８の直ぐ後方にこれらの開口部と実質的に一列に並ぶ（例えば、重複）するように配置され得る。
【００１７】
刃合わせ部材８０及び８２並びに一対の横方向に離間して配置された刃スタビライザ８８及び９０は、ハウジング１２に対して共射出成形され得る。硬質プラスチックの第１ショットにより、ハウジング１２を形成し得る。より軟質のプラスチック（例えば、エラストマー材）の第２ショットにより、ハウジング１２上に、刃合わせ部材８０及び８２、一対の横方向に離間して配置された刃スタビライザ８８及び９０、皮膚係合部材１５、及び／又は他の表面を形成してもよい。共射出成形プロセスによって、刃合わせ部材８０及び８２並びに一対の横方向に離間して配置された刃スタビライザ８８及び９０を、ハウジング１２に接合してもよい。あるいは、刃合わせ部材８０及び８２並びに刃スタビライザ８８及び９０は、ハウジングに固定された別個の部品であってもよい。例えば、刃合わせ部材８０及び８２並びに一対の横方向に離間して配置された刃スタビライザ８８及び９０は、ハウジング１２に対して接着剤、プレス嵌め、超音波溶接、及び／又はスナップ嵌めすることによって、ハウジング１２に固定され得る。
【００１８】
刃部材２２、２４、２６、２８、及び３０は、ハウジング１２に装着され得る。例えば、刃部材２２、２４、２６、２８、及び３０は、それぞれの対応する刃スロット７８内に配置され得る。離間して配置された刃合わせ部材８０及び８２は、刃部材２２、２４、２６、２８、及び３０の最低部９２、９４、９６、９８、及び１００に接触して、それぞれ対応する切断縁部３２、３４、３６、３８、及び４０を刃保持部材４２及び４４に対して押し上げることによって、剃毛カートリッジ１０の剃毛ジオメトリを確立してもよい。一次ブレード２２の切断縁部３２は、一対の側方端部８４及び８６を有してもよい。特定の実施形態では、刃スタビライザ８８及び９０は、ハウジングの前方内壁６２並びに／又は側方内側壁６６及び６８のうちの１つに接触及び／又は接合してもよく、それによって、追加の支持及び剛性を提供し得る。
【００１９】
刃部材２２、２４、２６、２８、及び３０がハウジング１２内に装着されると（例えば、対応するスロット７８内に配置されると）、刃保持部材４２及び４４を対応する開口部４６、４８、５０、及び５２に挿入してハウジング１２に固定することができる。刃合わせ部材８０及び８２は、切断縁部３２、３４、３６、３８、及び４０を刃保持部材４２及び４４に対して付勢し得る。刃スタビライザ８８及び９０もまた、切断縁部３２の刃保持部材４２及び４４に対する付勢を補助し得る。刃縁部３２の一対の側方端部８４及び８６を、刃スタビライザ８８及び９０と刃保持部材４２及び４４との間にそれぞれ配置してもよく、それによって、刃縁部３２の固定を促進し得る。例えば、一次刃部材２２の側方端部８４及び８６を、刃スタビライザ８８及び９０の上面１０２及び１０４（図３に示す）上にそれぞれ載置してもよい。一次刃部材２２の切断縁部３２を、刃縁部３２の側方端部８４及び８６で拘束してもよく、それによって、剃毛性能に悪影響を及ぼすことのある、切断縁部３２の動き（例えば、屈曲又は湾曲）を最小化し得る。更に、刃保持部材４２及び４４の下で切断縁部３２の側方端部８４及び８６を拘束することにより、剃毛効率及びすすぎ性（rinsibility）を向上し得る。これは、刃保持部材４２及び４４の下に位置する切断縁部３２の領域は毛の切断に使用されず、すすぎを妨げることもあるからである。例えば、切断縁部３２の全長が刃スタビライザ８８及び９０によって支持されていたとすると、その場合、切断縁部３２は毛を切断するために露出されない。一対の横方向に離間して配置された刃スタビライザ８８及び９０は、一次刃部材２２の切断縁部３２に接触してもよく、それによって、剃毛中に、一次刃部材２２の動き、より詳細には刃縁部３２の動きを更に制限し得る。離間して配置された刃スタビライザ８８及び９０によって、一次刃２２の切断縁部３２の挟持が促進され得、それによって、刃の保持を向上させ、組み立て中の刃縁部のダメージを低減し得る。
【００２０】
図３を参照すると、ハウジング１２の斜視図が示されている。一対の横方向に離間して配置された刃スタビライザ８８及び９０はそれぞれ、ハウジング１２の後方２０に向かう方向に下向き傾斜した（例えば、下方向に傾いた）上面１０２及び１０４を有し得る。特定の実施形態では、上面１０２及び１０４は、約１８°〜約２３°（例えば、１６〜２６°）の夾角を有していてもよく、それによって、一次刃部材２２（図示せず）の支持を促進し得る。離間して配置された刃スタビライザ８８及び９０は、前後方向においてはガード１４及びキャップ１８の内側寄り（すなわち、ガード１４とキャップ１８との間）に配置されてよく、横方向においてはガード１４及びキャップ１８の外側寄りに配置されてよい。離間して配置された刃スタビライザ８８及び９０のうちの少なくとも１つは、外側寄りに、刃スロット７８から離間して配置されてよく、それによって、刃部材（図示せず）の固定を向上させ得る。
【００２１】
特定の実施形態では、刃スタビライザ８８及び９０は、刃スタビライザ８８及び９０の前方壁１０６及び１０８から後方壁１１０及び１１２までの、約０．２５ｍｍ〜約２．０ｍｍ、より好ましくは約０．５ｍｍ〜約１．０ｍｍの幅Ｗ１及びＷ２をそれぞれ有し得る。刃スタビライザ８８及び９０の幅Ｗ１及びＷ２によって、二次刃部材２４（図示せず）を組み立てるための十分な空間を確保しつつ、切断縁部３２（図示せず）の十分な支持及び保持を提供し得る。刃スタビライザ８８及び９０は、約０．４ｍｍ〜４ｍｍの長さＬ１及びＬ２をそれぞれ有し得る。刃スタビライザ８８及び９０の長さは、切断縁部３２の有効切断長さを最大化しつつ、切断縁部３２（図示せず）の十分な支持及び保持を提供し得る。
【００２２】
図４を参照すると、図１の線４−４に実質的に沿って切断された、剃毛かみそりカートリッジ１０の断面図が示されている。刃部材２２、２４、２６、２８及び３０のうちの１つ以上は、一体型の湾曲した刃ユニットであり得る。例えば、刃部材２２は、垂直基部１１４、並びに、それに対応する、切断縁部３２と垂直基部１１４との間の湾曲部１１６を有する一体型部材を含み得る。垂直基部１１４は、ガード１４及びキャップ１８に接する剃毛面Ｐ１を横断してもよい。他の刃部材２４、２６、２８、及び３０もまた、同様の構造を有し得ることが理解される。他の実施形態では、刃部材２２、２４、２６、２８及び３０のうちの１つ以上は、溶接された刃組立体（例えば、基部及び湾曲部を有する刃支持体に連結する切断縁部を有する、溶接された刃）であってもよい。
【００２３】
図４では、刃スタビライザ８８のみが断面図に示されている。というのは、刃スタビライザ９０は、刃スタビライザ８８と実質的に同一であり、相対的な向き、構造、及び機能が同じであることが理解されるからである。特定の実施形態では、刃スタビライザ８８（及び図示しない９０）同士は互いに離間して配置されてよく、対応する刃保持部材４２（及び図示しない４４）の直下に配置されてよい。刃スタビライザ８８及び９０を配置することにより、刃部材２２、２４、２６、２８及び３０の固定、並びに、切断効率及びすすぎ性を向上させ得る。理論に制約されるものではないが、複数刃システムの刃に対して作用する力は、ガードに最も近接している刃に対して最も高くなると考えられる。例えば、図４では、一次刃２２に対して最も高い力がかかると考えられる。というのは、一次刃部材２２が、剃毛ストローク中に毛に対する係合及び切断を行う最初の刃部材であるからである。このため、一次刃部材２２は、後続の刃２４、２６、２８、及び３０のいずれと比較しても、最も多くの毛及び最も長い毛に対して係合及び切断を行う。一次刃部材２２に最も大きい力がかかるため、一次刃部材２２は、切断縁部３２の望ましくない動きを防ぐために、より大きい拘束度合いを必要とし得る。更に、理論に制約されるものではないが、一次刃２２に作用する力は、切断縁部３２において最も高くなると考えられる。このため、最も大きい力がかかる切断縁部３２において刃部材２２を拘束して、切断縁部３２及び／又は刃部材２２の望ましくない動きを最小化することが最も有益であり得る。更に、他の刃部材２４、２６、２８、及び３０にかかる力はそれより小さいため、これらの刃部材の一部又は全てに対して同様の拘束を提供する必要はないことがある。刃保持部材４２及び４４と対応する刃スタビライザ８８及び９０との間で切断縁部３２を拘束又は挟持する領域は、毛の切断を行わないことがあることが理解される。そのため、切断縁部３２は毛を切断するための特有の切れ味を有する必要がなく、単に一次刃部材２２の縁部又は端部であればよい。そのため、切断縁部３２を十分に拘束するために必要な領域は、毛を切断するために露出される切断縁部３２の領域に対して最適化され得る。
【００２４】
刃保持部材４２（及び図示しない４４）はハウジング１２の上面２５に装着することができ、それによって、刃部材２２、２４、２６、２８及び３０のハウジング１２に対する固定を促進し得る。一次刃部材２２は、垂直基部１１４の湾曲部１１６に対する角度が、刃スタビライザ８８（及び図示しない９０）の上面１０２（及び図示しない１０４）の角度と同様又は同一となるように湾曲されていてもよく、それによって、切断縁部３２から湾曲部１１６に向かう領域の接触及び支持を増加させる。特定の実施形態では、剃毛かみそりカートリッジ１０は、一次刃部材２２に対して、後続の刃部材２４、２６、２８、及び３０よりも大きい拘束度合いを提供し得る。一次刃部材２２の動きは、一次刃部材２２の垂直基部１１４を拘束することに加えて、切断縁部３２において一次刃部材２２を拘束することによって低減され得る。このため、垂直基部１１４及び切断縁部３２の両方が支持され得る（すなわち、垂直基部１１４は刃合わせ部材８０及び８２（図３に示す）によって支持され得、切断縁部３２は刃スタビライザ８８及び９０（図３に示す）によって支持され得る）。
【００２５】
一次刃部材２２は、刃スタビライザ８８及び９０と対応する刃保持部材４２及び４４との間で、刃部材２２の距離「ｄ１」に沿って刃縁部３２から湾曲部１１６に向かって拘束され得る。特定の実施形態では、ｄ１は約０．４０ｍｍ〜約０．８０ｍｍであり得る。刃スタビライザ８８及び９０を垂直基部１１４及び／又は湾曲部１１６から離間して配置することもでき、それによって、一次刃部材２２のハウジング１２内への組み付けを容易にし得る。例えば、刃スタビライザ８８及び９０のうちの少なくとも１つを、一次刃部材２２の垂直基部１１４から０．１５ｍｍを超えて離間して配置することができる。これにより、ｄ１によって切断縁部３２の十分な拘束を得つつ、一次刃部材２２をハウジング１２に装着するための十分な空間を得ることもできる。刃スタビライザ８８及び９０は、切断縁部３２を越えて延在してもよい。
【００２６】
刃スタビライザ８８及び９０は、切断縁部３２を拘束するがダメージを受けさせないようにするためにエラストマー材を含み得る。例えば、刃スタビライザ８８及び９０は、ショアＡ硬度が約３０〜約６０のエラストマー材を含み得る。これより硬い材料は切断縁部３２にダメージを与えることがあり、その結果、不快及び／又は不十分な剃毛となることがある。更に、エラストマー材により、切断縁部３２、並びに、切断縁部３２と一次刃２２の湾曲部１１６との間の領域を、対応する刃スタビライザ８８（及び図示しない９０）内に押し込むことができ、それによって、切断縁部３２の支持及び固定を向上する。切断縁部３４、３６、３８、及び４０を同様の方法で支持及び拘束するために、上述の刃スタビライザ８８及び９０と同様の追加的な刃スタビライザを用いることができることが理解される。
【００２７】
図５を参照すると、図１の剃毛かみそりカートリッジ１０内に組み込まれ得るハウジング２００の斜視図が示されている。ハウジング２００は、図１〜図４で前述したハウジング１２と実質的に同じであり得る。しかし、ハウジング２００は、ハウジング２００に装着された少なくとも一対の刃スタビライザ２０６及び２０８から延在する少なくとも１つの凸部２０２及び２０４を含み得る。刃スタビライザ２０６及び２０８は、前述の刃スタビライザ８８及び９０と同じであり得る。凸部２０２及び２０４は、凸部２０２及び２０４のより狭い上面２１４及び２１６に向かって狭くなる基部２１０及び２１２を有し得る。特定の実施形態では、凸部２０２及び２０４の、基部２１０及び２１２から対応する上面２１４及び２１６への高さが、約０．２５ｍｍ〜約０．５０ｍｍであり得る。特定の実施形態では、ハウジング２００は、前述のガード１４と同様のガード２１８を有することができ、このとき、上面２２０は、凸部２０２及び２０４（すなわち、上面２１４及び２１６）上の水平距離が約０．０５ｍｍ〜約０．３０ｍｍとなるように配置され得る。凸部２０２及び２０４はそれぞれ、約０．２５ｍｍ〜約２．０ｍｍ、より好ましくは約０．５ｍｍ〜約１．０ｍｍの幅Ｗ３及びＷ４を有し得る。特定の実施形態では、Ｗ３及びＷ４は、Ｗ１及びＷ２以下であり得る。凸部２０２及び２０４はそれぞれ、約０．１ｍｍ〜１．０ｍｍの長さＬ３及びＬ４を有し得る。一次刃部材２２（図示せず）は、組み立て中に凸部２０２を圧接することができ、それによって、一次刃部材２２により大きい力をかけて切断縁部３２の拘束を向上させ得る。刃スタビライザ８８及び９０（図１〜図４）並びに２０６及び２０８（図５）は一対のみが示されているが、切断縁部３２に対する拘束を増加させるためにより多くの刃スタビライザを用いることができること、及び／又は任意の数の追加的な刃部材を固定するために刃スタビライザを組み込むことができることが理解される。凸部２０２及び２０４によって、切断縁部３２にダメージを与えることなく切断縁部３２に対してより大きい力をかけることが可能であり得る。
【００２８】
本明細書に開示した寸法及び値は、記載された正確な数値に厳密に限定されるものと理解されるべきではない。むしろ、特に断らない限り、そのような各寸法は、記載された値及びその値の周辺の機能的に同等の範囲の両方を意味するものとする。例えば「４０ｍｍ」として開示される寸法は、「約４０ｍｍ」を意味するものとする。
【００２９】
相互参照される又は関連する全ての特許又は特許出願、及び本願が優先権又はその利益を主張する任意の特許出願又は特許等の、本願に引用される全ての文書は、除外又は限定することを明言しない限りにおいて、参照によりその全容が本願に援用される。いかなる文献の引用も、本明細書中で開示又は特許請求される任意の発明に対する先行技術であるとはみなされず、あるいはそれを単独で又は他の任意の参考文献（単数又は複数）と組み合わせたときに、そのような任意の発明を教示、示唆、又は開示するとはみなされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【００３０】
本発明の特定の実施形態を例示及び説明してきたが、本発明の趣旨及び範囲から逸脱せずに、他の様々な変更及び修正を行うことができることは当業者には明白であろう。したがって、本発明の範囲内に含まれるそのような全ての変更及び修正は、添付の特許請求の範囲にて網羅することを意図したものである。
【図１】
0006499322.tif 000002
【図２】
0006499322.tif 000003
【図３】
0006499322.tif 000004
【図４】
0006499322.tif 000005
【図５】
0006499322.tif 000006